(57)【要約】【課題】利便性に富み、かつ省スペースを実現できる食器洗い機を提供すること。【解決手段】（イ）駆動装置と前記駆動装置に着脱可能に接続した洗浄部材とを有する１又は複数の洗浄装置本体と、（ロ）前記洗浄装置本体をシンクへ取り付ける本体設置器具とを有する食器洗い機であって、前記本体設置器具が、（ａ）前記洗浄装置本体を着脱可能に固定する本体設置プレート部と、（ｂ）前記本体設置プレート部をスライドして着脱できる台座部と、前記台座部と垂直に接続した背もたれ部とを有するアーム部と、（ｃ）前記アーム部の背もたれ部又は台座部をスライドして着脱可能に固定するアーム結合部を有するアーム受け台部と、（ｄ）前記アーム受け台部を着脱できるアーム受け台接続部と、シンクに着脱可能に固定するシンク取付部を有するシンク設置部とを有する構成とすること。【選択図】図１
2007244649.tif 000002
【特許請求の範囲】
【請求項１】
（イ）駆動装置と前記駆動装置に着脱可能に接続した洗浄部材とを有する１又は複数の洗浄装置本体と、（ロ）前記洗浄装置本体をシンクへ取り付ける本体設置器具とを有する食器洗い機であって、
前記本体設置器具が、
（ａ）前記洗浄装置本体を着脱可能に固定する本体設置プレート部と、
（ｂ）前記本体設置プレート部をスライドして着脱できる台座部と、前記台座部と垂直に接続した背もたれ部とを有するアーム部と、
（ｃ）前記アーム部の背もたれ部又は台座部をスライドして着脱可能に固定するアーム結合部を有するアーム受け台部と、
（ｄ）前記アーム受け台部を着脱できるアーム受け台接続部と、シンクに着脱可能に固定するシンク取付部を有するシンク設置部とを有することを特徴とする食器洗い機。
【請求項２】
前記本体設置プレート部が、前記台座部に対し水平方向に回転する第１の回転部を有することを特徴とする請求項１記載の食器洗い機。
【請求項３】
さらに、前記本体設置プレート部が、前記第１の回転部と一定の傾斜角で固定できる第２の回転部を有することを特徴とする請求項２記載の食器洗い機。
【請求項４】
さらに、水道の蛇口の胴体部に取り付けるアタッチメントを設けたスイッチ部を有することを特徴とする請求項１〜請求項３のいずれかに記載の食器洗い機。
【発明の詳細な説明】
【技術分野】
【０００１】
本発明は、手洗いによる食器や調理器具等の洗浄作業を補助することを目的とする食器洗い機に関する。
【背景技術】
【０００２】
従来、食器洗い機には、一般家庭での手洗いによる食器の洗浄作業を補助することを目的とする回転ブラシ式食器洗い機等がある（例えば、特許文献１、２参照）。
【０００３】
【特許文献１】特開平１０−３０９２５３号公報（図１）
【特許文献２】特開平０７−１７１０８６号公報（図１）
【０００４】
これらの食器洗い機は、モータ等の駆動装置１基に複数の歯車を介して間接的に複数のブラシを同時に回転させる仕組みであり、設置機具と本体が一体型であり、回転する複数のブラシはシンク内壁に平行またはシンク底に垂直に固定され回転する仕組みである。
【０００５】
単体の駆動装置に直接洗浄部材を取付ける仕組みのものもある（例えば、特許文献３参照）。
【０００６】
【特許文献３】実開平０２−０２５９６５号公報（図１）
【０００７】
この食器洗い機は、モータと該モータで回転駆動されるブラシ体とを備えた洗浄機本体と、該洗浄機本体を着脱可能に装着する装着部と壁取付面とを有するホルダーとからなる電動式容器洗浄機であり、洗浄装置の手持ち利用または設置機具によりシンクに直接設置固定しての利用が可能であり、コップなどの容器類の洗浄を主な目的としたものである。
【発明の開示】
【発明が解決しようとする課題】
【０００８】
しかし、上記した特許文献１や特許文献２のような従来の食器洗い機では、一体型であるため、設置場所を変える際、食器洗い機全体を動かして設置固定しなおす必要があり、不便であるという問題があった。また、洗浄装置の角度や位置の調整が不可能であり、不便であるという問題があった。また、食器洗い機を使用しないときも、シンク内側に、本体用のスペースを占有するという問題があった。
【０００９】
なお、このほか、取付けブラシ以外のすべてを本体に込めるため、内部構造が複雑になるという問題があった。また、駆動装置１基を用いて、その回転力を数個の歯車を通じ間接的に複数の洗浄部まで伝達する仕組みであるため、パワーの分散とロスが生じ、大きなモータ出力が必要であるという問題があった。ブラシであるため、食器表面を傷つけやすいという問題があった。駆動装置１基を用いて歯車を介して複数の洗浄部材を回転させるため、回転するブラシを一つ止めても全てが止まり、一つの軸が壊れても本来の機能を果たせないという問題があった。
【００１０】
また、上記した特許文献３のような従来の食器洗い機は、コップ類や容器類の内側洗浄などに使用するものであり、両面洗浄や容器類以外の様々な食器・調理器具の洗浄はできないため、不便であるという問題があった。また、洗浄機本体の向き及び位置は壁取付面に対し変更できず、また、ブラシ体の向き及び位置は洗浄機本体に対し限定されるため、不便であるという問題があった。設置利用の際、下向きの洗浄部材の位置を自由に変更できず、上から食器を押し当てて利用することができないという問題があった。
【００１１】
したがって、本発明の目的は、利便性に富み、かつ省スペースを実現できる食器洗い機を提供することにある。
【課題を解決するための手段】
【００１２】
上記目的を達成するため、本発明は、次のように構成したものである。
【００１３】
本発明の第１の態様は、上記目的を達成するため、（イ）駆動装置と前記駆動装置に着脱可能に接続した洗浄部材とを有する１又は複数の洗浄装置本体と、（ロ）前記洗浄装置本体をシンクへ取り付ける本体設置器具とを有する食器洗い機であって、
前記本体設置器具が、
（ａ）前記洗浄装置本体を着脱可能に固定する本体設置プレート部と、
（ｂ）前記本体設置プレート部をスライドして着脱できる台座部と、前記台座部と垂直に接続した背もたれ部とを有するアーム部と、
（ｃ）前記アーム部の背もたれ部又は台座部をスライドして着脱可能に固定するアーム結合部を有するアーム受け台部と、
（ｄ）前記アーム受け台部を着脱できるアーム受け台接続部と、シンクに着脱可能に固定するシンク取付部を有するシンク設置部とを有することを特徴とする食器洗い機を提供するものである。
【００１４】
上記第１の態様によれば、洗浄装置本体と本体設置器具とが着脱可能であるため、使わないときはシンク内から洗浄装置本体を取り外すことができる。さらに、本体設置器具のアーム受け台部とシンク設置部とが着脱可能であるため、使わないときは洗浄装置本体のみならず、本体設置プレート部とアーム部とアーム受け台部も取り外しできる。また、アーム部に本体設置プレート部をスライドして着脱可能であるため、洗浄装置本体を、アーム部に対し、任意の位置に取り付けることができる。アーム受け台部にアーム部の背もたれ部又は台座部をスライドして着脱可能に固定することにより、洗浄装置本体をアーム受け台部に対し、平行又は垂直に配置でき、スライド方向の任意の位置で使用することができる。
【００１５】
さらに、洗浄装置本体の駆動装置と洗浄部材とが着脱可能であるため、洗浄部材の取替えが容易にできる。また、各洗浄部材に駆動装置を接続してあるため、パワーの分散とロスを防止でき、大きなモータ出力を必要としない。
【００１６】
また、前記本体設置プレート部が、前記台座部に対し水平方向に回転する第１の回転部を有する構成としてもよい。かかる構成によれば、洗浄装置本体をアーム受け台部に対し、平行又は垂直に配置でき、スライド方向の任意の位置で使用することができるうえに、任意の向きで使用することができる。
【００１７】
さらに、前記本体設置プレート部が、前記第１の回転部と一定の傾斜角で固定できる第２の回転部を有する構成としてもよい。かかる構成によれば、洗浄装置本体をアーム受け台部に対し、平行又は垂直に配置でき、スライド方向の任意の位置及び向きで使用することができるうえに、種々の角度で使用することができる。
【００１８】
さらに、水道の蛇口の胴体部に取り付けるアタッチメントを設けたスイッチ部を有する構成としてもよい。かかる構成によれば、手の届きやすい水道の蛇口の胴体部にスイッチ部が取り付けられ、したがってスペースをとらず、かつ利便性が向上する。
【発明の効果】
【００１９】
本発明の食器洗い機は、上述したとおりであるので、利便性に富み、かつ省スペースを実現できる。
【発明を実施するための最良の形態】
【００２０】
以下に、添付した図面を参照しながら、本発明の好適な実施例の構成及び作用を詳細に説明する。
【実施例１】
【００２１】
（構成）
図１は、本発明の実施例１に係る食器洗い機の全体構成図である。本実施例の食器洗い機（１）は、２つの洗浄装置本体（Ａ０１）と洗浄装置本体（Ａ０１）をシンク（Ｆ１０）へ取り付ける本体設置器具（Ｂ０１）と操作装置（図示せず）を有する。洗浄装置本体（Ａ０１）は、駆動装置（Ａ１０）と、駆動装置（Ａ１０）に着脱可能に接続した洗浄部材（Ａ２０）とを有する。本体設置器具（Ｂ０１）は、洗浄装置本体（Ａ０１）を着脱可能に固定する本体設置プレート部としての回転２層式設置プレート（Ｃ２０）と、アーム部（Ｃ１０）と、アーム受け台部（Ｂ５０）と、シンク設置部としてのシンク常設固定機具（スライド可能型）（Ｂ１０）とを有する。
【００２２】
図２は、本発明の実施例１に係る食器洗い機の洗浄装置本体の構成図である。洗浄装置本体（Ａ０１）は、駆動装置（Ａ１０）に洗浄部材（Ａ２０）を接続して構成する。駆動装置（Ａ１０）は、洗浄部材（Ａ２０）を回転させるための動力源としてのモータ（Ａ１１）と、モータ（Ａ１１）を収納するケース（Ａ１２）と、モータ（Ａ１１）の一端に固定されモータ（Ａ１１）の回転を洗浄部材（Ａ２０）に直接付与する回転軸（Ａ１３）と、回転軸（Ａ１３）にかぶせて洗浄部材（Ａ２０）をはめ込む軸アタッチメント（Ａ１４）と、洗浄部材（Ａ２０）が回転しても軸アタッチメント（Ａ１４）から洗浄部材（Ａ２０）が外れたり回転軸（Ａ１３）から軸アタッチメント（Ａ１４）が外れたりするのを防ぐための抜け出し防止ピン（Ａ１５）とを有する。軸アタッチメント（Ａ１４）の装着により、モータ内部に水が入ることを防止し、防水効果を得ることができる。
【００２３】
洗浄部材（Ａ２０）は、円柱型スポンジ（Ａ２２）と、円柱型スポンジ（Ａ２２）の中央に設けられ内部に駆動装置（Ａ１０）の軸アタッチメント（Ａ１４）をはめ込むことができるスポンジ差込式カートリッジ軸（Ａ２１）とを有する。スポンジ差込式カートリッジ軸（Ａ２１）の形状と軸アタッチメント（Ａ１４）の形状とは接続固定できるように対応しており、回転時に空回りや抜け落ちが防止できる。スポンジ差込式カートリッジ軸（Ａ２１）の長さは、円柱型スポンジ（Ａ２２）の長さの２／３程度で、スポンジの上部の柔軟性を生かせるので、洗浄効果が高い。
【００２４】
本実施例においては、ケース（Ａ１２）は、独立したモータ（Ａ１１）を２基並列に収納できるケースであり、下部には、本体設置器具（Ｂ０１）の回転２層式設置プレート（Ｃ２０）への取り付け構造を有し、洗浄装置本体（Ａ０１）を本体設置器具（Ｂ０１）に固定することができる。取り付け構造としては、例えば、固定ネジ等がある。本実施例では、操作装置で操作することにより洗浄部材（Ａ２０）の回転方向の切換及び回転数の調整ができる。例えば、２つの洗浄部材（Ａ２０）の回転方向を逆向きとし、約２００回転／分で回転させ、食器を２つの洗浄部材（Ａ２０）の間に挟んで食器の両面を洗浄することができる。
【００２５】
図３は、本発明の実施例１に係る食器洗い機のアーム受け台部とアーム部の組立説明図である。アーム部（Ｃ１０）は、椅子型で、台座部（Ｃ１２）と、台座部（Ｃ１２）と垂直に接続した背もたれ部（Ｃ１１）とを有する。背もたれ部（Ｃ１１）はアーム受け台部（Ｂ５０）との結合部となっている。背もたれ部（Ｃ１１）の前面側に台座部（Ｃ１２）と接続し、上下位置固定ピン（Ｃ１４）で固定する。背もたれ部（Ｃ１１）は、アーム受け台部（Ｂ５０）へスライドして着脱できるように、凸型となっており、凸型の出っ張り部分は、台座部（Ｃ１２）を接続する側の面に、アーム受け台部（Ｂ５０）へスライド着脱する方向に伸びている。台座部（Ｃ１２）には、背もたれ部（Ｃ１１）と接続する側と反対側から回転２層式設置プレート（Ｃ２０）をスライドして内部に着脱できるように設置プレート取り込み結合部（Ｃ１３）を有する。図１のように組み立てて使用するときは、台座部（Ｃ１２）はシンク（Ｆ１０）内側に出っ張った形となる。
【００２６】
アーム受け台部（Ｂ５０）は、アーム部（Ｃ１０）の背もたれ部（Ｃ１１）をスライドして着脱可能に固定するアーム結合部として、前面アーム結合面（Ｂ５１）、中央結合部（Ｂ５３）及び上下位置固定穴（Ｂ５４）を有する。アーム受け台部（Ｂ５０）の前面が前面アーム結合面（Ｂ５１）であり、内部に空洞である中央結合部（Ｂ５３）を有する。前面には切り込みがあり、その切り込みの両サイドに上下位置固定穴（Ｂ５４）を有する。背もたれ部（Ｃ１１）を中央結合部（Ｂ５３）内に上方から下方へスライドして挿入し、任意の位置で上下位置固定穴（Ｂ５４）に上下位置固定ピン（Ｃ１４）をねじ込み固定する。アーム受け台部（Ｂ５０）は、下部主要設置板（垂直板）（Ｂ１４）とアーム部（Ｃ１０）との繋ぎ役を果たす。本実施例では、台座部も背もたれ部もアーム受け台部へスライド着脱可能であるため、台座部をアーム受け台部に接続するか、背もたれ部をアーム受け台部に接続するかを選択することによって、洗浄装置本体の向きを変えられる。
【００２７】
図４は、本発明の実施例１に係る食器洗い機のシンク常設固定機具（スライド可能型）とアーム受け台部の組立説明図である。アーム受け台部（Ｂ５０）の、シンク常設固定機具と接続する側である裏面溝結合面（Ｂ５２）には、溝掛けフック（Ｂ５５）を有する。シンク常設固定機具（スライド可能型）（Ｂ１０）は、アーム受け台部（Ｂ５０）を着脱できるアーム受け台接続部として、溝掛けフック（Ｂ５５）を掛けるスライド溝（Ｂ１５）を設けた下部主要設置板（垂直板）（Ｂ１４）を有する。
【００２８】
スライド溝（Ｂ１５）の数は、溝掛けフック（Ｂ５５）の段数と同じかそれ以上とする。溝掛けフック（Ｂ５５）の段数は１段でもよく限定されないが、本実施例では、安定性向上のため、３段設けてある。また、溝掛けフック（Ｂ５５）の列数も１列でもよく限定されないが、本実施例では、安定性向上のため、２列設けてある。
【００２９】
また、シンク常設固定機具（スライド可能型）（Ｂ１０）は、シンク（Ｆ１０）に着脱可能に固定するシンク取付部として、シンクの内側の壁に沿って下部主要設置板（垂直板）（Ｂ１４）をぶら下げる鍵型設置フック（Ｂ１２）と、鍵型設置フック（Ｂ１２）を下部主要設置板（垂直板）（Ｂ１４）に接続する固定手ネジ（Ｂ１８）と、下部主要設置板（垂直板）（Ｂ１４）を任意の高さで接続するフック結合穴（Ｂ１７）と、シンク常設固定機具（スライド可能型）（Ｂ１０）をシンク（Ｆ１０）に固定する吸盤（Ｂ１６）と、シンク（Ｆ１０）の上面に置かれ鍵型設置フック（Ｂ１２）を介して下部主要設置板（垂直板）（Ｂ１４）と直角に接続された上部補助設置板（水平板）（Ｂ１３）とを有する。アーム受け台は、シンク常設固定機具（スライド可能型）（Ｂ１０）とフックで吊るして接続する。
【００３０】
鍵型設置フック（Ｂ１２）は、鍵型の吊金具であり、上部に短い部分、下部にぶら下がる長い部分を有する。長い部分に下部主要設置板（垂直板）（Ｂ１４）を取り付ける固定手ネジ（Ｂ１８）を有する。鍵型設置フック（Ｂ１２）２基でシンク（Ｆ１０）に並行にぶら下げ、下部主要設置板（垂直板）（Ｂ１４）の左右と組み合わされる仕組みとなっており、下部主要設置板（垂直板）（Ｂ１４）とシンク（Ｆ１０）との繋ぎ役を果たす。なお、鍵型設置フック（Ｂ１２）２基が繋がっていてもよい。鍵型設置フック（Ｂ１２）の内側はシンク（Ｆ１０）の上面とシンク内壁垂直面に対面し、外側は上部補助設置板（水平板）（Ｂ１３）と下部主要設置板（垂直板）（Ｂ１４）に取り付けられている。
【００３１】
上部補助設置板（水平板）（Ｂ１３）は、鍵型設置フック（Ｂ１２）の上に載っており、下部に一定間隔の複数の吸盤取り付け穴がある。本実施例では、下部主要設置板（垂直板）（Ｂ１４）と同じ幅を有するが、シンク対面側の水平面の広さに対応したり、左右の鍵型設置フック（Ｂ１２）に個別に設けてもよい。シンク（Ｆ１０）周囲の平らな面に吸盤（Ｂ１６）を吸着させて下部主要設置板（垂直板）（Ｂ１４）や洗浄装置本体（Ａ０１）の落下防止および固定利用を補助することができる。なお、吸盤（Ｂ１６）は、本実施例では、上部補助設置板（水平板）（Ｂ１３）の裏面に数箇所、下部主要設置板（垂直板）（Ｂ１４）裏面の４隅に設けてあるが、吸盤（Ｂ１６）の位置や数を変えることにより様々なタイプのシンク角の構造に対応して設置できる。本実施例では、吸盤（Ｂ１６）は円形であるが、正方形や長方形等の四角形でもよく形状は限定されない。
【００３２】
図５は、本発明の実施例１に係る食器洗い機のシンク常設固定機具（スライド可能型）とアーム受け台部とアーム部と本体設置プレート部と洗浄装置本体の組立説明図である。回転２層式設置プレート（Ｃ２０）は、第１の回転部として、設置プレート取り込み結合部（Ｃ１３）に接続する切り込みの入った下部回転部（Ｃ２２）を有し、第２の回転部として、上部に洗浄装置本体（Ａ０１）の駆動装置（Ａ１０）を載せて固定する上部回転部（Ｃ２３）とを有する。上部回転部（Ｃ２３）と下部回転部（Ｃ２２）とは、傾斜軸（Ｃ２４）で接続され、ともに円盤状で、傾斜軸（Ｃ２４）に取り付けられたレバー（Ｃ２６）を押したり引いたりすることにより台座部（Ｃ１２）に対し水平方向に回転２層式設置プレート（Ｃ２０）を回転させることができる。
【００３３】
本実施例においては、台座部（Ｃ１２）にも、アーム受け台部（Ｂ５０）へスライドして着脱できるためキノコ型に突出した底面アーム受け台結合部（Ｃ１５）が、洗浄装置本体（Ａ０１）を接続する側と反対側の面に設けてある。本実施例のアーム結合部は、台座部（Ｃ１２）のアーム受け台結合部（Ｃ１５）をスライドしてアーム部（Ｃ１０）を、アーム受け台部（Ｂ５０）へ着脱可能に固定することもできる。
【００３４】
図６は、本発明の実施例１に係る食器洗い機の使用例を示す図である。本実施例においては、回転２層式設置プレート（Ｃ２０）の上部回転部（Ｃ２３）には、支え（Ｃ２５）が設けられている。したがって、傾斜軸（Ｃ２４）を中心に、洗浄装置本体（Ａ０１）を載せた上部回転部（Ｃ２３）を傾斜させ、一定の傾斜角で、支え（Ｃ２５）を立てて固定することができる。支え（Ｃ２５）は、本実施例では棒状であるが、板状でもよい。下部回転部（Ｃ２２）の上面には、安定性を向上するため、支え（Ｃ２５）を固定するための溝がある。溝を複数個設けることにより、複数の傾斜角で固定できる。
【００３５】
図７は、本発明の実施例１に係る食器洗い機の操作装置の構成図である。操作装置（Ｄ１０）は、水道の蛇口（Ｆ１１）に取り付けるものであり、電源のＯＮ、ＯＦＦを切り替えるためのスイッチと回転数調整のためのダイヤルと回転方向を切り替えるためのつまみと駆動するモータの数を切り替えるボタンとからなるスイッチ類（Ｄ１１）とを有し、小型の変圧装置（Ｄ１２）を内蔵し、防水加工した本体部分と、本体部分を蛇口に取り付けるための蛇口部取付けアタッチメント（Ｄ１３）と、電源に接続する電源コード（Ｄ１４）と、電源コード（Ｄ１４）を蛇口（Ｆ１１）に沿わせるためのコード結束具（Ｄ１５）を有する。
【００３６】
（作用）
本実施例の食器洗い機は、洗浄装置本体と本体設置機具とを組み合わせて直接食器洗浄を行うことができ、手洗いにおける食器洗いのメインハンドである「右手」の代行を果たすものである。図８は、本発明の実施例１に係る食器洗い機の回転及び移動方向を示す図である。本実施例では、スライド溝（Ｂ１５）に沿って移動させることにより水平方向（図のａ方向）の移動が可能であり、固定手ネジ（Ｂ１８）をどのフック結合穴（Ｂ１７）でとめるか選択すること又は溝掛けフック（Ｂ５５）をどのスライド溝（Ｂ１５）に吊るすか選択すること又は背もたれ部（Ｃ１１）をどの上下位置固定穴（Ｂ５４）で固定するか選択することにより垂直方向（図のｂ方向）の移動が可能であり、下部回転部（Ｃ２２）を回転させることにより水平方向（図のｃ方向）の回転が可能であり、上部回転部（Ｃ２３）を傾斜させることにより、垂直方向（図のｄ方向）の傾斜が可能である。
【００３７】
本実施例の本体設置機具は、洗浄装置本体を有効に利用するための支え器具であり、かつ、コンパクトながら多方向に移動・回転させることにより利便性を向上させている。
【００３８】
シンク常設固定機具（スライド可能型）（Ｂ１０）は、ワンタッチでアーム受け台部（Ｂ５０）を取り付け及び取り外しでき、食器洗い機（１）の「腕」若しくは「支え台」の役割を果たす。シンク常設固定機具（スライド可能型）（Ｂ１０）は、常にシンクに固定しておいても邪魔にならず、食器洗い機を使用しないときは、アーム受け台部（Ｂ５０）ごと洗浄装置を外せば、シンク内のスペースを有効に使える。また、シンク常設固定機具（スライド可能型）（Ｂ１０）側にアーム受け台部（Ｂ５０）は取り付けたまま、アーム部（Ｃ１０）ごと洗浄装置を外すこともできる。また、シンク常設固定機具（スライド可能型）（Ｂ１０）側にアーム部（Ｃ１０）を取り付けたまま、回転２層式設置プレート（Ｃ２０）ごと洗浄装置を取り外すこともできる。また、シンク常設固定機具（スライド可能型）（Ｂ１０）側に回転２層式設置プレート（Ｃ２０）を取り付けたまま、洗浄装置本体（Ａ０１）のみ取り外すこともできる。したがって、例えば、オフィス等の小型シンクでも設置できる。また、洗浄装置本体（Ａ０１）は軽量であるため、女性でも片手で持つことができ、利用時の取り付け取り外しが簡単にできる。
【００３９】
下部回転部（Ｃ２２）の回転により洗浄装置本体を縦列にも並列にも並べ替えることが自在にでき、したがって、洗浄対象物により並べ方を変えて効率よく洗浄することができる。
【００４０】
図９、図１０、図１１、図１２、図１３、図１４、図１５は、本発明の実施例１に係る食器洗い機の使用例１〜使用例６を示す図である。これらの図において、円柱型スポンジ（Ａ２２）は、食器洗い機（１）のアーム受け台部（Ｂ５０）に対し並列に立てて並べ互いに逆回転させている。食器洗い機（１）の一部は図示を省略した。
【００４１】
図９は、円柱型スポンジ（Ａ２２）のアーム受け台部（Ｂ５０）側の面に皿（Ｇ１０）を押し付けて洗浄する例を（ａ）側面から見た図、（ｂ）正面から見た図、（ｃ）上面から見た図である。本実施例によれば、片手洗いが可能となる。図１０は、皿（Ｇ１０）洗浄のその他の態様を示す図であり、（ａ）２つの円柱型スポンジ（Ａ２２）の間に皿（Ｇ１０）を挟んで両面洗浄する例を示す図、（ｂ）円柱型スポンジ（Ａ２２）の上に皿（Ｇ１０）を押し付けて洗浄する例を示す図である。本実施例によれば、食器類の両面洗浄が可能であり、利便性に富む。なお、図９及び図１０の使用例では、より利便性を向上するために、並列した円柱型スポンジ（Ａ２２）の下部に食器などの洗浄物を支え置いて洗浄作業を補う洗浄補助台（Ａ１６）を付設してある。本実施例によれば、両手で食器類を支え持ち、円柱型スポンジ（Ａ２２）上部や側面部への押し当て方や力の強弱次第で様々な効果的な洗いができる。また、洗浄液のヌメリによる食器落としや破損を減らせる。さらに、手荒れの恐れが軽減する。また、手洗いよりもスピーディーに洗える。
【００４２】
図１１は、茶碗（Ｇ１１）を洗浄する例を示す図で、（ａ）茶碗（Ｇ１１）を円柱型スポンジ（Ａ２２）の上に押し付けて洗浄する例を示す図、（ｂ）茶碗（Ｇ１１）を円柱型スポンジ（Ａ２２）の間に挟んで両面洗浄する例を示す図である。内部まで容易に洗浄することができる。図１２は、弁当箱（Ｇ１５）を洗浄する例を、（ａ）上面から見た洗浄方向を示す図、（ｂ）正面から見た図である。手洗浄では洗いにくい隅の部分も弁当箱を移動するだけで容易に洗浄できる。図１３は、包丁（Ｇ１４）を両面洗浄する例を、（ａ）上面から見た図、（ｂ）側面から見た図である。スポンジ間に挟み込み、ケガの恐れなく、すばやく洗浄できる。図１４は、コップ（Ｇ１２）を洗浄する例を示す図である。コップの外面と内面、内底面の３面を片手で容易に同時洗浄することができる。図１５は、箸（Ｇ１３）を洗浄する例を示す図である。スポンジ間に挟み込み、数本まとめてすばやく洗浄できる。そのほか、手鍋等のなべ類やまな板等は、自重を利用しスポンジ上で支え持つだけで洗浄できる。また、水筒も、手洗浄では洗いにくい内部まで容易に洗浄できる。このように、本実施例によれば、皿、茶碗、コップ、箸、包丁、弁当箱、なべ、まな板、水筒等、様々な形状の食器や調理器具の洗浄にも対応でき、利便性に富む。本実施例は、駆動装置のモータの回転方向が互いに逆方向にできる２基の洗浄装置であるため、洗浄装置本体の機能性が高く、両面洗浄や容器類以外の様々な食器・調理器具の洗浄をすることができ、利便性に富む。
【００４３】
（効果）
この実施例１によれば、以下の主要な効果を奏する。
（イ）洗浄装置本体の位置及び角度を自在に変えることができる。したがって、利用者の体型やシンクの状況、洗浄対象物の形状等に合わせ、無理な体勢をとらずに楽に、最適な方法で洗浄することができる。よって利便性に富む。
（ロ）スポンジを持たずに、様々な食器や調理器具が洗浄でき、片面洗浄も両面洗浄も効率よく行うことができる。よって利便性に富む。
（ハ）各部の着脱が可能であるため、省スペースを実現できる。
【００４４】
また、この実施例１によれば、以下の効果をも奏する。
（ニ）各洗浄部材に駆動装置を接続してあるため、駆動中に１つの洗浄部材が静止したときに、他の洗浄部材を駆動し続けることができる。
（ホ）スポンジであるため、食器表面を傷つけにくい。
（ヘ）軸アタッチメントに直接スポンジ差込式カートリッジ軸を結合するので、モータのパワーを無駄なく使うことができる。したがって、省資源・エコロジーに貢献できる。
（ト）各部の着脱が可能であるので、消耗品の購入や故障時の取替え部品の交換が容易となる。故障してもパーツ交換だけで済むので、省資源・エコロジーに貢献できる。
（チ）構造がシンプルであるので、低コストにできる。
（リ）蛇口に操作装置がついているので、こまめなスイッチ操作が容易になり、また、防水であるので、泡や水がついた手で操作することもでき、便利である。
（ヌ）シンク周辺のスペースを極力損ねない形状であるので、デザイン性に優れ、シンクに置かれてもビジュアル的にマッチする形状とすることができる。
（ル）洗浄装置の防水機能をみたすので、保管やメンテナンスが簡単である。
（ヲ）結合部位の形状が対応しているので、各パーツの多様な製品ラインアップが可能である。
【００４５】
また、上記実施例では、上部回転部と下部回転部がサイドの傾斜軸で接続されていたが、上部回転部と下部回転部が中央部分で接続し、ターンテーブルのように上部回転部が回転するように接続してもよい。傾斜機能はないが、回転の自由度が向上する。
【実施例２】
【００４６】
図１６は、本発明の実施例２の食器洗い機のシンク常設固定機具（スライド可能・ワイド型）の構成図である。シンクが広い場合は、実施例１の食器洗い機のシンク常設固定機具（スライド可能型）に代えてシンク常設固定機具（スライド可能・ワイド型）（Ｂ２０）に代えた、実施例２の食器洗い機を用いることができる。図中のシンク常設固定機具（スライド可能・ワイド型）（Ｂ２０）には、アーム受け台部（Ｂ５０）を取り付けてある。かかる構成によれば、複数のアーム受け台部（Ｂ５０）をシンク常設固定機具（スライド可能・ワイド型）（Ｂ２０）に取り付けることができるので、より効率的に洗浄ができる。また、複数の人が並んで洗浄することもできる。その他の構成及び作用、効果は上記実施例１の食器洗い機と同様である。
【実施例３】
【００４７】
図１７は、本発明の実施例３の食器洗い機の操作装置の構成図である。操作装置（Ｄ１０）には様々な変形例が可能である。実施例１では、水道の蛇口（Ｆ１１）の上部にスイッチ類（Ｄ１１）及び変圧装置（Ｄ１２）を内蔵した本体部分を設けたが、本実施例の操作装置（Ｄ１０）は、スイッチ類（Ｄ１１）が水道の蛇口（Ｆ１１）の側面にあり、変圧装置（Ｄ１２）は、水道の蛇口（Ｆ１１）の下部に配置されるＬ字型の本体部分となっている。その他の構成及び作用、効果は上記実施例１の食器洗い機と同様である。
【実施例４】
【００４８】
図１８は、本発明の実施例４の食器洗い機の構成図である。図１８（ａ）は側面から見た図であり、図１８（ｂ）は、鍵型設置フック（Ｂ１２）へのシンク対面上部壁面用アタッチメント（Ｅ２０）の接続方法を示す図である。シンク対面上部壁面用アタッチメント（Ｅ２０）には吸盤（Ｂ１６）を設け、鍵型設置フック（Ｂ１２）の上部にネジで固定し、対面側壁面（Ｆ１８）に取り付ける。狭くて、対面に壁面があるシンクで、上部補助設置板が置けない場合、上部補助設置板の代わりに壁面に固定するアタッチメントをつけることで、シンクに取り付けることができる。その他の構成及び作用、効果は上記実施例１の食器洗い機と同様である。
【実施例５】
【００４９】
図１９は、本発明の実施例５の食器洗い機の構成図である。図１９（ａ）は側面から見た図であり、図１９（ｂ）は、鍵型設置フック（Ｂ１２）へのシンク手前縁設置アタッチメント（Ｅ１０）の接続方法を示す図である。シンク手前縁設置アタッチメント（Ｅ１０）はＬ字型で、鍵型設置フック（Ｂ１２）に結合ピン（Ｅ１１）で固定し、シンク手前縁（Ｆ１９）に取り付けて、シンクの幅に合わせて、幅調整手ネジ（Ｅ１２）で固定する。シンクの縁におく場合で、縁の幅が狭く、上部補助設置板が置けない場合、上部補助設置板の代わりに縁の反対側に固定するアタッチメントをつけることで、シンクに取り付けることができる。その他の構成及び作用、効果は上記実施例１の食器洗い機と同様である。
【実施例６】
【００５０】
図２０は、本発明の実施例６の食器洗い機のアームと回転２層式設置プレートの組立説明図である。本実施例では、回転２層式設置プレート（Ｃ２０）は、上部回転部（Ｃ２３）に傾斜固定フック（Ｃ４１）が設けられ、下部に出っ張り部分があり、出っ張り部分に、上部回転部（Ｃ２３）の中心の真下を通るように傾斜軸（Ｃ２４）が設けられており、出っ張り部分は、傾斜固定フック（Ｃ４１）側の一部が一定角度をもって欠けている。欠けている角度が大きいほど欠損部分が大きくなり、欠損部分が大きいほうが洗浄装置本体の傾きは小さくなる。また、下部回転部（Ｃ２２）は、上部に、組み合わせる上部回転部（Ｃ２３）を傾斜させたときに妨げとならない位置に出っ張り部分があり、傾斜軸（Ｃ２４）が設けられている。上部回転部（Ｃ２３）と下部回転部（Ｃ２２）を上下に組み合わせ（図２０（ａ））、これらを傾斜軸（Ｃ２４）で接続して矢印の方向からアーム部（Ｃ１０）にスライド差し込み（図２０（ｂ））、回転２層式設置プレート（Ｃ２０）とアーム部（Ｃ１０）を合体させる（図２０（ｃ））。図２１は、本発明の実施例６の食器洗い機の動作説明図である。図２１（ａ）は、傾斜させていないときの主要部側面図で、図２１（ｂ）は、傾斜させたときの主要部側面図である。上部回転部（Ｃ２３）を傾斜させて、その下部の欠損部分の斜面に下部回転部（Ｃ２２）の上面を接触させて、傾斜固定フック（Ｃ４１）を下部回転部（Ｃ２２）に引っ掛けて固定する。本実施例によれば、洗浄装置本体を傾斜させることができ、傾斜時に、より安定した作業が可能となる。その他の構成及び作用、効果は上記実施例１の食器洗い機と同様である。
【実施例７】
【００５１】
図２２は、本発明の実施例７の食器洗い機の組立説明図である。本実施例では、シンク常設固定機具（スライド可能型）（Ｂ１０）の代わりに、簡易型設置器具（Ｂ３０）を用いる。簡易型設置器具（Ｂ３０）には、スライド溝がないため、スライド方向への移動は制限されるが、幅は、アーム受け台部（Ｂ５０）の幅分である。したがって、よりコンパクトである。図２２（ａ）は、シンク左側内面（Ｆ１４）とシンク横水平面（Ｆ１７）がなす角に簡易型設置器具（Ｂ３０）を取り付け、アーム受け台部（Ｂ５０）を簡易型設置器具（Ｂ３０）に固定した図である。図２２（ｂ）は、さらにアーム部（Ｃ１０）ごと洗浄装置本体（Ａ０１）を簡易型設置器具（Ｂ３０）に取り付ける図である。
【００５２】
図２３は、本発明の実施例７の食器洗い機の使用例１を示す図である。使用例１では、洗浄装置本体（Ａ０１）がシンク横水平面（Ｆ１７）に対し、平行になるように背もたれ部（Ｃ１１）をアーム受け台部（Ｂ５０）にスライド挿入して固定する。傾斜固定フック（Ｃ４１）を利用して傾斜させて洗浄することもできる。
【００５３】
図２４は、本発明の実施例７の食器洗い機の使用例２を示す図である。使用例２では、洗浄装置本体（Ａ０１）がシンク横水平面（Ｆ１７）に対し、垂直になるように台座部（Ｃ１２）の底面結合部（Ｃ１５）をアーム受け台部（Ｂ５０）にスライド挿入して固定する。傾斜固定フック（Ｃ４１）を利用して傾斜させて洗浄することもできる。
【００５４】
図２２及び図２３、図２４においては、簡易型設置器具（Ｂ３０）は、アーム受け台部（Ｂ５０）がシンクの上面に平行するように設置したが、アーム受け台部（Ｂ５０）がシンクの内側面に平行するように設置することもできる。
【００５５】
本実施例によれば、スライドする必要もないオフィスなどの狭いシンク、湾曲したシンクなどへの設置や度々設置位置を変更する場合などに、取り付けが簡単なのでどこでも利用できる。その他の構成及び作用、効果は上記実施例１の食器洗い機と同様である。
【実施例８】
【００５６】
図２５は、本発明の実施例８の食器洗い機の組立説明図である。本実施例では、シンク常設固定機具（スライド可能型）（Ｂ１０）の代わりに、ワイヤーポケットフック利用式設置板（Ｂ４０）を用いる。本実施例は、ワイヤーポケットを取り付けてあるタイプないしはワイヤーポケット用のくぼみを有するタイプのシンクに対し、利用できる。シンク（Ｆ１０）のワイヤーポケット（Ｆ２２）を外して（図２５（ａ））、ポケット用フック（Ｆ２０）に、ワイヤーポケットフック利用式設置板（Ｂ４０）を設置してアーム受け台部（Ｂ５０）を取り付け（図２５（ｂ））、さらにアーム部（Ｃ１０）ごと洗浄装置本体（Ａ１０）をアーム受け台部（Ｂ５０）に取り付け（図２５（ｃ））、円柱型スポンジ（Ａ２２）を取り付ける（図２５（ｄ））。円柱型スポンジ（Ａ２２）は、ワンタッチで取り付けが可能であるので、予め取り付けておくこともできるし、設置後に取り付けることもできる。円柱型スポンジ（Ａ２２）を１つだけ用いる場合には、２つ目を取り付けずに洗浄できる。図２５（ａ）から（ｃ）は斜視図で、図２５（ｄ）は上面図である。本実施例によれば、シンク常設固定機具（スライド可能型）（Ｂ１０）よりはスライド方向の移動は制限されるが、シンクの形状を利用して、よりコンパクトかつ、よりシンプルな構造になる。
【００５７】
以上、本発明の好適な実施例について説明したが、本発明は、かかる実施形態に限定されず、その発明の趣旨を逸脱しない範囲で種々と変形実施が可能である。当業者であれば、特許請求の範囲に記載された技術的思想の範囲内において、各種の変更例又は修正例に想到しうることは明らかであり、それらについても当然に本発明の技術的範囲に属するものと了解される。
【００５８】
例えば、上記実施例では、駆動装置としてモータが２基１組でケースに収納されるものを挙げたが、モータが１基でも３以上のモータを用いても、また、モータごとにケースに収納されていてもよい。１基では両面洗浄ができないが、構造がシンプルになり、コストを抑制できる。また、上記実施例では、洗浄部材として洗浄手段が円柱型スポンジであるものを挙げたが、形状が、円盤型等他の形状でもよく、またスポンジのほかにブラシ等を用いてもよい。パーツの交換だけで発展的な利用ができる。
【００５９】
また、上記実施例では、回転２層式設置プレートを用いるものを挙げたが、回転１層式の設置プレートや無回転の設置プレートであってもよい。回転の自由度は低くなるが、構造がシンプルになり、コストを抑制できる。
【００６０】
また、上記実施例では、各部が着脱可能となっているが、全部又は一部を一体型にしてもよい。コンパクト性は劣るが、構造がシンプルになり、コストを抑制できる。
【００６１】
また、上記実施例では、操作装置を蛇口部分に取り付けるものを挙げたが、操作装置が他の部分に設置されてもよい。
【産業上の利用可能性】
【００６２】
本発明は、食器洗い機や家庭用洗浄器などの家庭電化製品、または流し台、スポンジを製造、販売する産業分野で利用することができる。
【図面の簡単な説明】
【００６３】
【図１】本発明の実施例１に係る食器洗い機の全体構成図である。
【図２】本発明の実施例１に係る食器洗い機の洗浄装置本体の構成図である。
【図３】本発明の実施例１に係る食器洗い機のアーム受け台部とアーム部の組立説明図である。
【図４】本発明の実施例１に係る食器洗い機のシンク常設固定機具（スライド可能型）とアーム受け台部の組立説明図である。
【図５】本発明の実施例１に係る食器洗い機のシンク常設固定機具（スライド可能型）とアーム受け台部とアーム部と本体設置プレート部と洗浄装置本体の組立説明図である。
【図６】本発明の実施例１に係る食器洗い機の使用例を示す図である。
【図７】本発明の実施例１に係る食器洗い機の操作装置の構成図である。
【図８】本発明の実施例１に係る食器洗い機の回転及び移動方向を示す図である。
【図９】本発明の実施例１に係る食器洗い機の使用例を示す図である。
【図１０】本発明の実施例１に係る食器洗い機の使用例１を示す図である。
【図１１】本発明の実施例１に係る食器洗い機の使用例２を示す図である。
【図１２】本発明の実施例１に係る食器洗い機の使用例３を示す図である。
【図１３】本発明の実施例１に係る食器洗い機の使用例４を示す図である。
【図１４】本発明の実施例１に係る食器洗い機の使用例５を示す図である。
【図１５】本発明の実施例１に係る食器洗い機の使用例６を示す図である。
【図１６】本発明の実施例２の食器洗い機のシンク常設固定機具（スライド可能・ワイド型）の構成図である。
【図１７】本発明の実施例３の食器洗い機の操作装置の構成図である。
【図１８】本発明の実施例４の食器洗い機の構成図である。
【図１９】本発明の実施例５の食器洗い機の構成図である。
【図２０】本発明の実施例６の食器洗い機のアームと回転２層式設置プレートの組立説明図である。
【図２１】本発明の実施例６の食器洗い機の動作説明図である。
【図２２】本発明の実施例７の食器洗い機の組立説明図である。
【図２３】本発明の実施例７の食器洗い機の使用例１を示す図である。
【図２４】本発明の実施例７の食器洗い機の使用例２を示す図である。
【図２５】本発明の実施例８の食器洗い機の組立説明図である。
【符号の説明】
【００６４】
１      食器洗い機
Ａ０１  洗浄装置本体
Ａ１０  駆動装置
Ａ１１  モータ
Ａ１２  ケース
Ａ１３  回転軸
Ａ１４  軸アタッチメント
Ａ１５  抜け出し防止ピン
Ａ１６  洗浄補助台
Ａ２０  洗浄部材
Ａ２１  スポンジ差込式カートリッジ軸
Ａ２２  円柱型スポンジ
Ｂ０１  本体設置機具
Ｂ１０  シンク常設固定機具（スライド可能型）
Ｂ１２  鍵型設置フック
Ｂ１３  上部補助設置板（水平板）
Ｂ１４  下部主要設置板（垂直板）
Ｂ１５  スライド溝  
Ｂ１６  吸盤
Ｂ１７  フック結合穴
Ｂ１８  固定手ネジ
Ｂ２０  シンク常設固定機具（スライド可能・ワイド型）
Ｂ３０  簡易型設置器具
Ｂ４０  ワイヤーポケットフック利用式設置板
Ｂ５０  アーム受け台部
Ｂ５１  前面アーム結合面
Ｂ５２  裏面溝結合面
Ｂ５３  中央結合部
Ｂ５４  上下位置固定穴
Ｂ５５  溝掛けフック
Ｃ１０  アーム部
Ｃ１１  背もたれ部
Ｃ１２  台座部
Ｃ１３  設置プレート取り込み結合部
Ｃ１４  上下位置固定ピン
Ｃ１５  底面結合部
Ｃ２０  回転２層式設置プレート
Ｃ２２  下部回転部
Ｃ２３  上部回転部
Ｃ２４  傾斜軸
Ｃ２５  支え
Ｃ２６  レバー
Ｃ４１  傾斜固定フック
Ｄ１０  操作装置
Ｄ１１  スイッチ類
Ｄ１２  変圧装置
Ｄ１３  蛇口部取り付けアタッチメント
Ｄ１４  電源コード
Ｅ１０  シンク手前縁設置アタッチメント
Ｅ１１  結合ピン
Ｅ１２  幅調整ネジ
Ｅ２０  シンク対面上部壁面用アタッチメント
Ｆ２２  ワイヤーポケット
Ｆ１０  シンク
Ｆ１１  蛇口
Ｆ１２  対面内壁
Ｆ１４  左面内壁
Ｆ１６  対面側水平面
Ｆ１７  シンク横水平面
Ｆ１８  対面側壁面
Ｆ１９  シンク手前縁
Ｆ２０  ポケット用フック
Ｇ１０  皿
Ｇ１１  茶碗
Ｇ１２  コップ
Ｇ１３  箸
Ｇ１４  包丁
Ｇ１５  弁当箱
【図１】
2007244649.tif 000003
【図２】
2007244649.tif 000004
【図３】
2007244649.tif 000005
【図４】
2007244649.tif 000006
【図５】
2007244649.tif 000007
【図７】
2007244649.tif 000008
【図８】
2007244649.tif 000009
【図９】
2007244649.tif 000010
【図１０】
2007244649.tif 000011
【図１１】
2007244649.tif 000012
【図１２】
2007244649.tif 000013
【図１３】
2007244649.tif 000014
【図１４】
2007244649.tif 000015
【図１５】
2007244649.tif 000016
【図１６】
2007244649.tif 000017
【図１７】
2007244649.tif 000018
【図１８】
2007244649.tif 000019
【図１９】
2007244649.tif 000020
【図２０】
2007244649.tif 000021
【図２１】
2007244649.tif 000022
【図２２】
2007244649.tif 000023
【図２３】
2007244649.tif 000024
【図２４】
2007244649.tif 000025
【図２５】
2007244649.tif 000026
【図６】
2007244649.tif 000027
【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
（イ）駆動装置と前記駆動装置に着脱可能に接続した洗浄部材とを有する２台１組の洗浄装置本体と、（ロ）前記洗浄装置本体をシンクへ取り付ける本体設置器具とを有する食器洗い機であって、
前記本体設置器具が、
（ａ）第１の回転部と該第１の回転部に重畳して接続した第２の回転部とを有し、該第２の回転部に前記洗浄装置本体を載置して着脱可能に固定する層状の本体設置プレート部と、
（ｂ）内部に前記本体設置プレート部の前記第１の回転部を着脱できる結合部を有する台座部と、前記台座部と垂直に接続した背もたれ部とを有する椅子型のアーム部と、
（ｃ）内部に前記アーム部の背もたれ部又は台座部を着脱可能に固定するアーム結合部を有する中空のアーム受け台部と、
（ｄ）前記アーム受け台部を着脱できるアーム受け台接続部と、該アーム受け台接続部に接続されシンクに着脱可能に固定するシンク取付部を有するシンク設置部とを有し、
かつ、
前記第１の回転部が、前記台座部の内部に水平に着脱するための手段を有し且つ前記台座部に対し水平に回転する構成であって、
前記椅子型のアーム部が、背面側及び底面側に、前記アーム受け台部の内部にスライドして着脱させるための凸部を有することを特徴とする食器洗い機。
【請求項２】
前記第２の回転部が、前記第１の回転部と一定の傾斜角で固定する手段を有することを特徴とする請求項１記載の食器洗い機。
【請求項３】
さらに、水道の蛇口の胴体部に取り付けるアタッチメントを設けたスイッチ部を有することを特徴とする請求項１または請求項２のいずれかに記載の食器洗い機。          
【手続補正２】
【補正対象書類名】明細書
【補正対象項目名】００１３
【補正方法】変更
【補正の内容】
【００１３】
本発明の第１の態様は、上記目的を達成するため、（イ）駆動装置と前記駆動装置に着脱可能に接続した洗浄部材とを有する２台１組の洗浄装置本体と、（ロ）前記洗浄装置本体をシンクへ取り付ける本体設置器具とを有する食器洗い機であって、
前記本体設置器具が、
（ａ）第１の回転部と該第１の回転部に重畳して接続した第２の回転部とを有し、該第２の回転部に前記洗浄装置本体を載置して着脱可能に固定する層状の本体設置プレート部と、
（ｂ）内部に前記本体設置プレート部の前記第１の回転部を着脱できる結合部を有する台座部と、前記台座部と垂直に接続した背もたれ部とを有する椅子型のアーム部と、
（ｃ）内部に前記アーム部の背もたれ部又は台座部を着脱可能に固定するアーム結合部を有する中空のアーム受け台部と、
（ｄ）前記アーム受け台部を着脱できるアーム受け台接続部と、該アーム受け台接続部に接続されシンクに着脱可能に固定するシンク取付部を有するシンク設置部とを有し、
かつ、
前記第１の回転部が、前記台座部の内部に水平に着脱するための手段を有し且つ前記台座部に対し水平に回転する構成であって、
前記椅子型のアーム部が、背面側及び底面側に、前記アーム受け台部の内部にスライドして着脱させるための凸部を有することを特徴とする食器洗い機を提供するものである。また、前記第２の回転部が、前記第１の回転部と一定の傾斜角で固定する手段を有する構成としてもよい。さらに、水道の蛇口の胴体部に取り付けるアタッチメントを設けたスイッチ部を有する構成としてもよい。